(57)【要約】【課題】簡便な方法で光ピックアップを冷却することが可能な光ピックアップの冷却方法と、この冷却方法を用いて、記録性能に優れた光ディスク装置を提供する。【解決手段】光ピックアップの温度が高温側閾値に達すると光源を消灯して光ピックアップを光ディスクの最外周に移動し、光ディスクを回転させるスピンドルモータの回転速度を記録時の回転速度より大きい回転速度に設定して光ディスクを回転させて光ピックアップを冷却し、光ピックアップの温度が低温側閾値に達すると光源を点灯して光ピックアップを光ディスクの内周側に移動して光ディスクに対して記録を行う。【選択図】図４
2006107636.tif 000002
【特許請求の範囲】
【請求項１】
光ディスクに対して再生または記録中に光ピックアップの温度が高温側閾値に達すると再生または記録を中断し、前記光ピックアップを光ディスクの最外周に移動させるかもしくは光ディスクを回転させるスピンドルモータの回転速度を記録時の回転速度より大きい回転速度に設定して光ディスクを回転させることの少なくともどちらかの方法で光ピックアップを冷却し、光ピックアップの温度が低温側閾値に達すると光ディスクに対して再生または記録を再開することを特徴とする光ピックアップの冷却方法。
【請求項２】
前記光ピックアップの冷却中には光源を消灯することを特徴とする請求項１記載の光ピックアップの冷却方法。
【請求項３】
光ピックアップの温度を検知する手段を有し、光ピックアップの温度が高温側閾値に達すると前記光ピックアップを光ディスクの最外周に移動させるかもしくは光ディスクを回転させるスピンドルモータの回転速度を記録時の回転速度より大きい回転速度に設定して光ディスクを回転させることの少なくともどちらかの方法で光ピックアップを冷却する冷却手段と、光ピックアップの温度が低温側閾値に達すると光ディスクに対して再生または記録を再開する手段を設けたことを特徴とする光ディスク装置。
【請求項４】
前記光ピックアップの冷却中には光源を消灯することを特徴とする請求項３記載の光ディスク装置。
【発明の詳細な説明】
【技術分野】
【０００１】
本発明は、光ピックアップの冷却方法と、この方法を用いた光ディスク装置に関する。
【背景技術】
【０００２】
光ディスク装置は、オーディオ用ＣＤをはじめとして、ＣＤ−ＲＯＭ、ＣＤ−Ｒ／ＲＷ、ＤＶＤなどがすでに実用化されており、各方面への応用と高性能化への開発が活発に行われている。特に最近では、パーソナルコンピュータの急速な市場拡大に伴い光ディスク装置のパーソナルコンピュータへの内蔵普及率も高くなっている。
【０００３】
ここで、光ディスク装置の構成を図１を用いて説明する。
【０００４】
図１は光ディスク装置のピックアップ制御部のブロック図である。図１において、１はピックアップモジュール、２は光ピックアップ、３はスピンドルモータ、７は光ディスク、８はキャリッジ、９はフィード部、１０はフィードモータ、１１はアナログ信号処理部、１２はサーボ処理部、１３はモータ駆動部、１４はディジタル信号処理部、１５はレーザ駆動部、１６はコントローラ、１７はバッファメモリである。
【０００５】
以上のように構成された従来の技術におけるピックアップ制御部の動作について説明する。図１において、ピックアップモジュール１は、光ディスク７を回転させるスピンドルモータ３と、光ディスク７の情報信号を読み取るための光ピックアップ２と、光ピックアップ２が搭載されたキャリッジ８を光ディスクの半径方向に移動させるためのフィード部９とによって構成されたものである。アナログ信号処理部１１はピックアップモジュール１の内部に設けられたキャリッジ８中の光ピックアップ２内部の光センサ（図示せず）からの信号出力を基に、フォーカスエラー信号とトラッキングエラー信号とを生成し、サーボ処理部１２に出力する。
【０００６】
フォーカスエラー信号とは、光ピックアップ２に備えられた対物レンズ（図示せず）より出射される光ビームスポットと光ディスク７の記録面との焦点方向のずれを示す。トラッキングエラー信号とは、前記光スポットと光ディスク７の情報トラックの光ディスク半径方向のずれを示す。また、アナログ信号処理部１１はトラッキングエラー信号の低域成分を取り出す事により、対物レンズとキャリッジ８との相対的な位置関係を示すレンズ位置信号を生成し、サーボ処理部１２に出力する。
【０００７】
サーボ処理部１２はＯＮ／ＯＦＦ回路、演算回路、フィルタ回路、増幅回路等によって構成され、光ビームスポットが光ディスク７の情報トラックに追従するように対物レンズをフォーカス／トラッキング制御し、さらにトラッキングエラー信号の低域成分を用いて対物レンズが概略中立位置を保持するようにフィード制御を行う。フィード部９はフィードモータ１０、ギヤ（図示せず）、スクリューシャフト（図示せず）等から構成され、フィードモータ１０を回転させることによってキャリッジ８が移動するようになっている。
【０００８】
ディジタル信号処理部１４はデータスライサ、データＰＬＬ回路、ジッタ測定回路、エラー訂正部、変／復調部、バッファメモリ、レーザ制御部等から構成されており、ホスト（図中のＨＯＳＴ）側へ有効なデータとして転送される。
【０００９】
記録動作時は、ディジタル信号処理部１４によってホストから送られてきたデータを変調し、レーザ制御部によってレーザ駆動部１５を介して光ピックアップ２内のレーザ（図示せず）等の光源に所定の電流を供給し、光源を例えばパルス状に発光させ、光ディスク
７の情報トラックに記録を行う。コントローラ１６はこのように構成されたサーボ部の全体のコントロールを行うものである。
【００１０】
光ディスク装置においては、記録時のレーザ光パワー（ＬＤパワー）が大きいために、記録動作を連続して行うと、レーザ光源の発熱によって光ピックアップ２全体の温度が上昇する。光ピックアップ２が高温になりすぎると、レーザ光源の発光特性が劣化して正常な記録動作を行うための光パワー制御が困難となる。
【００１１】
図７は、従来の光ディスク装置における、光パワー制御の方法を示すフローチャートである。記録が開始されると、光ピックアップ２の温度Ｔｃが高温側閾値Ｔｌより高温であるか否かの判定を行う（Ｓ７１）。その結果、Ｔｃ＞Ｔｌであるときは、レーザ光パワー（ＬＤパワー）を下げてレーザ光パワー（ＬＤパワー）を再生用レベルで制御し（Ｓ７４）、データ記録が完了しているか否かの判定を行う（Ｓ７５）。その結果、データ記録が完了している場合には、記録を終了する。データ記録が完了していない場合には、光ピックアップ２の温度Ｔｃが低温側閾値Ｔｐより高温であるか否かの判定を行う（Ｓ７６）。その結果、Ｔｃ＞Ｔｐであるときは、再度データ記録が完了しているか否かの判定を繰り返す。Ｔｃ＞Ｔｐでないときは、光ピックアップ２の温度Ｔｃが低下したと認識して、レーザ光パワー（ＬＤパワー）を上げてレーザ光パワー（ＬＤパワー）を記録用レベルで制御し（Ｓ７２）、データ記録が完了しているか否かの判定を行う（Ｓ７３）。その結果、データ記録が完了している場合には、記録を終了する。データ記録が完了していない場合には、光ピックアップ２の温度Ｔｃが高温側閾値Ｔｌより高温であるか否かの判定に戻って、以上の処理を繰り返す。
【００１２】
レーザ光源の温度を検知して、レーザ光源の長寿命化を図った光ディスク装置の一例が、（特許文献１）に記載されている。
【特許文献１】特開平２−１７２０２９号公報
【発明の開示】
【発明が解決しようとする課題】
【００１３】
しかし、近年の光ディスク装置の薄型化に伴って、レーザ光源や光ピックアップの温度制御は更に重要な課題となっており、厚みが９．５ｍｍという薄型の光ディスク装置において特に顕著であり、効果的な冷却方法が求められている。
【００１４】
本発明は、上記の課題を解決するためになされたもので、簡便な方法で光ピックアップを冷却することが可能な光ピックアップの冷却方法と、この冷却方法を用いて、記録性能に優れた光ディスク装置を提供することを目的とする。
【課題を解決するための手段】
【００１５】
本発明は、上記の課題を解決するためになされたもので、光ディスクに対して再生または記録中に光ピックアップの温度が高温側閾値に達すると再生または記録を中断し、前記光ピックアップを光ディスクの最外周に移動させるかもしくは光ディスクを回転させるスピンドルモータの回転速度を記録時の回転速度より大きい回転速度に設定して光ディスクを回転させることの少なくともどちらかの方法で光ピックアップを冷却し、光ピックアップの温度が低温側閾値に達すると光ディスクに対して再生または記録を再開することを特徴とする光ピックアップの冷却方法である。
【発明の効果】
【００１６】
本発明によると、簡便な方法で光ピックアップを冷却することができ、冷却に要する時間を短縮して、記録性能に優れた光ディスク装置を実現することができる。
【発明を実施するための最良の形態】
【００１７】
本願の第１の発明は、光ディスクに対して再生または記録中に光ピックアップの温度が高温側閾値に達すると再生または記録を中断し、前記光ピックアップを光ディスクの最外周に移動させるかもしくは光ディスクを回転させるスピンドルモータの回転速度を記録時の回転速度より大きい回転速度に設定して光ディスクを回転させることの少なくともどちらかの方法で光ピックアップを冷却し、光ピックアップの温度が低温側閾値に達すると光ディスクに対して再生または記録を再開することを特徴とする光源を消灯して光源を点灯して光ピックアップの冷却方法である。
【００１８】
光ピックアップの温度が高温側閾値に達した時点で光源を消灯して光ピックアップを光ディスクの最外周に移動し、スピンドルモータの回転速度を記録時の回転速度より大きい回転速度に設定して光ディスクを回転させることにより、光ディスクの回転によって発生する空気流で光ピックアップを冷却することができる。そのため、光ピックアップを冷却するのに要する時間を短縮することができ、光ディスクに対するデータ記録を完了するのに要する時間を短縮することができる。
【００１９】
本願の第２の発明は、光ピックアップの冷却中には光源を消灯することを特徴とする光ピックアップの冷却方法である。
【００２０】
光ピックアップの冷却中には光源を消灯することにより、光源から発生する熱が無くなり、光ピックアップを早く冷却することができる。そのため、光ピックアップを冷却するのに要する時間を短縮することができ、光ディスクに対するデータ記録を完了するのに要する時間を短縮することができる。
【００２１】
本願の第３の発明は、光ピックアップの温度を検知する手段を有し、光ピックアップの温度が高温側閾値に達すると前記光ピックアップを光ディスクの最外周に移動させるかもしくは光ディスクを回転させるスピンドルモータの回転速度を記録時の回転速度より大きい回転速度に設定して光ディスクを回転させることの少なくともどちらかの方法で光ピックアップを冷却する冷却手段と、光ピックアップの温度が低温側閾値に達すると光ディスクに対して再生または記録を再開する手段を設けたことを特徴とする光源を消灯して光ディスク装置である。
【００２２】
これにより、光ピックアップを冷却するのに要する時間を短縮することができ、光ディスクに対するデータ記録を完了するのに要する時間を短縮し、記録特性に優れた光ディスク装置を実現することができる。
【００２３】
本願の第４の発明は、光ピックアップの冷却中には光源を消灯することを特徴とする光ディスク装置である。
【００２４】
これにより、光ピックアップを冷却するのに要する時間を短縮することができ、光ディスクに対するデータ記録を完了するのに要する時間を短縮することができる。
【００２５】
以下、本発明の光ディスク装置をその実施の形態に基づいて説明する。
【００２６】
本発明の実施の形態に係る光ディスク装置の構成を図１を用いて説明する。
【００２７】
図１は光ディスク装置のピックアップ制御部のブロック図である。図１において、１はピックアップモジュール、２は光ピックアップ、３はスピンドルモータ、７は光ディスク、８はキャリッジ、９はスクリューシャフト、１０はフィードモータ、１１はアナログ信号処理部、１２はサーボ処理部、１３はモータ駆動部、１４はディジタル信号処理部、１
５はレーザ駆動部、１６はコントローラ、１７はバッファメモリである。
【００２８】
以上のように構成されたピックアップ制御部の動作について説明する。図１において、ピックアップモジュール１は、光ディスク７を回転させるスピンドルモータ３と、光ディスク７の情報信号を読み取るための光ピックアップ２と、光ピックアップ２が搭載されたキャリッジ８を光ディスク７の半径方向に移動させるためのフィード部９とによって構成されたものである。アナログ信号処理部１１はピックアップモジュール１の内部に設けられたキャリッジ８中の光ピックアップ２内部の光センサ（図示せず）からの信号出力を基に、フォーカスエラー信号とトラッキングエラー信号とを生成し、サーボ処理部１２に出力する。
【００２９】
アナログ信号処理部１１はトラッキングエラー信号の低域成分を取り出す事により、対物レンズとキャリッジ８との相対的な位置関係を示すレンズ位置信号を生成し、サーボ処理部１２に出力する。
【００３０】
サーボ処理部１２はＯＮ／ＯＦＦ回路、演算回路、フィルタ回路、増幅回路等によって構成され、光ビームスポットが光ディスク７の情報トラックに追従するように対物レンズをフォーカス／トラッキング制御し、さらにトラッキングエラー信号の低域成分を用いて対物レンズが概略中立位置を保持するようにフィード制御を行う。フィード部は、スクリューシャフト９、フィードモータ１０等から構成され、フィードモータ１０を回転させることによってキャリッジ８が移動するようになっている。
【００３１】
ディジタル信号処理部１４はデータスライサ、データＰＬＬ回路、ジッタ測定回路、エラー訂正部、変／復調部、バッファメモリ、レーザ制御部等から構成されており、ホスト（図中のＨＯＳＴ）側へ有効なデータとして転送される。
【００３２】
記録動作時は、ディジタル信号処理部１４によってホストから送られてきたデータを変調し、レーザ制御部によってレーザ駆動部１５を介して光ピックアップ２内のレーザ（図示せず）等の光源に所定の電流を供給し、光源を例えばパルス状に発光させ、光ディスク７の情報トラックに記録を行う。コントローラ１６はこのように構成されたサーボ部の全体のコントロールを行うものである。バッファメモリ１７は、以下に説明する光ピックアップ２の温度制御に必要な情報を蓄積するものである。
【００３３】
図２、図３、図４に基づいて、本発明の実施の形態に係る光ディスク装置における、光ピックアップの冷却方法について説明する。図２は、キャリッジ８が光ディスク７の内周側に位置するときを示す図であり、図３は、キャリッジ８が光ディスク７の外周側に位置するときを示す図である。図２において、４はギア、５はギア、６はラックである。
【００３４】
図４は、本発明の実施の形態に係る光ピックアップの冷却方法の手順を示すフローチャートである。
【００３５】
記録が開始されると、光ピックアップ２の温度Ｔｃが高温側閾値Ｔｌより高温であるか否かの判定を行う（Ｓ４１）。その結果、Ｔｃ＞Ｔｌであるときは、レーザ光源を消灯し（Ｓ４４）、光ピックアップ２を光ディスク７の最外周に移動し（Ｓ４５）、ディスクモータの回転速度を冷却用の回転速度に設定する（Ｓ４６）。次に、データ記録が完了しているか否かの判定を行う（Ｓ４７）。その結果、データ記録が完了している場合には、記録を終了する。データ記録が完了していない場合には、光ピックアップ２の温度Ｔｃが低温側閾値Ｔｐより高温であるか否かの判定を行う（Ｓ４８）。その結果、Ｔｃ＞Ｔｐであるときは、再度データ記録が完了しているか否かの判定を繰り返す。Ｔｃ＞Ｔｐでないときは、光ピックアップ２の温度Ｔｃが低下したと認識して、レーザ光を点灯し（Ｓ４９）
、光ピックアップ２を光ディスク７の内周側に移動し（Ｓ５０）、ディスクモータの回転速度を記録用の回転速度に設定する（Ｓ５１）。次に、レーザ光パワー（ＬＤパワー）を記録用レベルで制御し（Ｓ４２）、データ記録が完了しているか否かの判定を行う（Ｓ４３）。その結果、データ記録が完了している場合には、記録を終了する。データ記録が完了していない場合には、光ピックアップ２の温度Ｔｃが高温側閾値Ｔｌより高温であるか否かの判定に戻って、以上の処理を繰り返す。
【００３６】
上記の処理におけるピックアップ２の移動は、フィードモータ１０の駆動力がギア４、５を介してスクリューシャフト９に伝達され、スクリューシャフト９が回転してキャリッジ８がスクリューシャフト９に沿って移動することにより行われる。
【００３７】
図５に、上記の方法によって光ピックアップ２を冷却したときの、光ピックアップ２の温度変化を実線で示す。また、図６に、ディスクモータの回転速度を示す。図６においてωｃは冷却用の回転速度である。ピックアップ２の温度が高温側閾値Ｔｌに達する、ｔ１、ｔ３、ｔ５のタイミングで、ディスクモータの回転速度をωｃに上昇させ、ピックアップ２の温度が低温側閾値Ｔｐまで低下する、ｔ２、ｔ４、ｔ６のタイミングで、ディスクモータの回転速度を記録用の回転速度に切り替える。このように、記録用の回転速度から冷却用の回転速度ωｃに切り替えることによって、図５に示すように、光ピックアップ２の温度が、ＴｌからＴｐまでの範囲内に保たれ、Ｔｌを超えて温度が上昇することがない。なお、図６においてはωｃを記録開始時の回転速度と同等に記載しているが、冷却時にωｃまで加速に要する時間や冷却効率は装置の特性に応じて適宜設定するのが好ましい。
【００３８】
図５において破線で示すものは、図７に示す従来の冷却方法による光ピックアップ２の温度変化である。本発明の冷却方法によると、ピックアップ２の温度が高温側閾値Ｔｌから低温側閾値Ｔｐへ低下するのに要する時間はＷｉであるのに対して、従来の冷却方法によると、冷却効率が悪いため、これより長いＷｃの時間を要する。その結果、本発明の冷却方法を用いて記録を行うと、時間ｔｉでデータ記録が完了するのに対して、従来の冷却方法を用いて記録を行うと、これより長いｔｃの時間を要する。このことから、本発明の冷却方法では、冷却に要する時間を短縮でき、その結果、データ記録が完了するまでに要する時間を短縮できることがわかる。
【産業上の利用可能性】
【００３９】
本発明は、簡便な方法で光ピックアップを冷却することが可能で、記録性能に優れた光ディスク装置として利用することができる。
【図面の簡単な説明】
【００４０】
【図１】光ディスク装置のピックアップ制御部のブロック図
【図２】キャリッジが光ディスクの内周側に位置するときを示す図
【図３】キャリッジが光ディスクの外周側に位置するときを示す図
【図４】本発明の実施の形態に係る光ピックアップの冷却方法の手順を示すフローチャート
【図５】光ピックアップの温度変化を示す図
【図６】ディスクモータの回転速度を示す図
【図７】従来の光ディスク装置における、光パワー制御の方法を示すフローチャート
【符号の説明】
【００４１】
１    ピックアップモジュール
２    光ピックアップ
３    スピンドルモータ
４    ギア
５    ギア
６    ラック
７    光ディスク
８    キャリッジ
９    スクリューシャフト
１０    フィードモータ
１１    アナログ信号処理部
１２    サーボ処理部
１３    モータ駆動部
１４    ディジタル信号処理部
１５    レーザ駆動部
１６    コントローラ
１７    バッファメモ
【図１】
2006107636.tif 000003
【図２】
2006107636.tif 000004
【図３】
2006107636.tif 000005
【図４】
2006107636.tif 000006
【図５】
2006107636.tif 000007
【図６】
2006107636.tif 000008
【図７】
2006107636.tif 000009